【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
各商品の販売状況を管理する商品情報処理システムであって、
(a) 各商品の販売情報を収集する情報収集装置と、
(b) 前記情報収集装置とネットワークを介して接続されており、
(b-1) 各商品の商品情報を格納する商品情報格納テーブルを記憶可能な記憶部と、
(b-2) 前記商品情報を前記商品情報格納テーブルに登録する商品情報登録部と、
を有する情報処理装置と、
を備え、
前記商品情報は、商品の産地情報および価格情報を含み、
前記情報収集装置は、
(a-1) 表示部と、
(a-2) 同種商品毎に前記産地情報と前記価格情報とを関連付けて表示する産地価格リストを、前記表示部に表示させる産地価格情報表示処理部と、
を有し、
前記産地価格リストに表示された各産地情報の表示態様は、対応する同種商品に添えられている纏め部材の表示態様と照応することを特徴とする商品情報処理システム。
【請求項２】
請求項１に記載の商品情報処理システムにおいて、
各纏め部材は、前記同種商品毎に異なる色に色分けされており、
前記産地価格リストに表示された各産地情報は、対応する纏め部材に付された色で色分けされていることを特徴とする商品情報処理システム。
【請求項３】
請求項１または請求項２に記載の商品情報処理システムにおいて、
前記情報収集装置は、
(a-3) 前記表示部の表示に従った入力を可能とする入力部と、
(a-4) 複数の商品識別子により構成される商品リストを、前記表示部に表示させる商品リスト表示処理部と、
(a-5) 前記入力部からの入力に基づき前記商品リストから選択された商品識別子について、該商品識別子に対応する複数の同種商品の商品情報を前記商品情報格納テーブルから抽出する抽出部と、
をさらに有し、
前記産地価格情報表示処理部は、前記抽出部により抽出された各商品情報に基づいて、前記産地価格リストを前記表示部に表示させることを特徴とする商品情報処理システム。
【請求項４】
請求項３に記載の商品情報処理システムにおいて、
前記産地価格情報表示処理部は、前記商品リストにオーバラップさせて前記産地価格リストを表示させることを特徴とする商品情報処理システム。
【請求項５】
請求項１ないし請求項４のいずれかに記載の商品情報処理システムにおいて、
前記情報処理装置は、
(b-3) 前記情報収集装置で収集された前記産地情報別の商品の販売情報を、前記記憶部に記憶された販売情報格納テーブルに登録する販売情報登録部、
をさらに有することを特徴とする商品情報処理システム。
【請求項６】
各商品の販売情報を収集する情報収集装置であって、
(a) 表示部と、
(b) 同種商品毎に前記産地情報と前記価格情報とを関連付けて表示する産地価格リストを、前記表示部に表示させる産地価格情報表示処理部と、
を有し、
各商品の商品情報は、産地情報および価格情報を含み、
前記産地価格リストに表示された各産地情報の表示態様は、対応する同種商品に添えられている纏め部材の表示態様と照応することを特徴とする情報収集装置。
【手続補正２】
【補正対象書類名】明細書
【補正対象項目名】０００８
【補正方法】変更
【補正の内容】
【０００８】
上記の課題を解決するため、請求項１の発明は、各商品の販売状況を管理する商品情報処理システムであって、各商品の販売情報を収集する情報収集装置と、前記情報収集装置とネットワークを介して接続されており、各商品の商品情報を格納する商品情報格納テーブルを記憶可能な記憶部と、前記商品情報を前記商品情報格納テーブルに登録する商品情報登録部とを有する情報処理装置とを備え、前記商品情報は、商品の産地情報および価格情報を含み、前記情報収集装置は、表示部と、同種商品毎に前記産地情報と前記価格情報とを関連付けて表示する産地価格リストを、前記表示部に表示させる産地価格情報表示処理部と、を有し、前記産地価格リストに表示された各産地情報の表示態様は、対応する同種商品に添えられている纏め部材の表示態様と照応することを特徴とする。
【手続補正３】
【補正対象書類名】明細書
【補正対象項目名】０００９
【補正方法】変更
【補正の内容】
【０００９】
また、請求項２の発明は、請求項１に記載の商品情報処理システムにおいて、各纏め部材は、前記同種商品毎に異なる色に色分けされており、前記産地価格リストに表示された各産地情報は、対応する纏め部材に付された色で色分けされていることを特徴とする。
また、請求項３の発明は、請求項１または請求項２に記載の商品情報処理システムにおいて、前記情報収集装置は、前記表示部の表示に従った入力を可能とする入力部と、複数の商品識別子により構成される商品リストを、前記表示部に表示させる商品リスト表示処理部と、前記入力部からの入力に基づき前記商品リストから選択された商品識別子について、該商品識別子に対応する複数の同種商品の商品情報を前記商品情報格納テーブルから抽出する抽出部と、をさらに有し、前記産地価格情報表示処理部は、前記抽出部により抽出された各商品情報に基づいて、前記産地価格リストを前記表示部に表示させることを特徴とする。
【手続補正４】
【補正対象書類名】明細書
【補正対象項目名】００１０
【補正方法】変更
【補正の内容】
【００１０】
また、請求項４の発明は、請求項３に記載の商品情報処理システムにおいて、前記産地価格情報表示処理部は、前記商品リストにオーバラップさせて前記産地価格リストを表示させることを特徴とする。
【手続補正５】
【補正対象書類名】明細書
【補正対象項目名】００１１
【補正方法】変更
【補正の内容】
【００１１】
また、請求項５の発明は、請求項１ないし請求項４のいずれかに記載の商品情報処理システムにおいて、前記情報処理装置は、前記情報収集装置で収集された前記産地情報別の商品の販売情報を、前記記憶部に記憶された販売情報格納テーブルに登録する販売情報登録部、をさらに有することを特徴とする。
【手続補正６】
【補正対象書類名】明細書
【補正対象項目名】００１２
【補正方法】変更
【補正の内容】
【００１２】
また、請求項６の発明は、各商品の販売情報を収集する情報収集装置であって、表示部と、同種商品毎に前記産地情報と前記価格情報とを関連付けて表示する産地価格リストを、前記表示部に表示させる産地価格情報表示処理部と、を有し、各商品の商品情報は、産地情報および価格情報を含み、前記産地価格リストに表示された各産地情報の表示態様は、対応する同種商品に添えられている纏め部材の表示態様と照応することを特徴とする。
【手続補正７】
【補正対象書類名】明細書
【補正対象項目名】００１３
【補正方法】変更
【補正の内容】
【００１３】
本願記載の発明によれば、複数の同種商品は、商品リストでは１つの商品識別子として表示可能とされている。また、産地毎の価格情報は、この商品識別子が選択されることにより表示される産地価格リストに基づいて指定される。そのため、商品リストに表示可能な商品識別子の数を増大させることなく、産地毎に価格情報を指定することが可能となる。
【手続補正８】
【補正対象書類名】明細書
【補正対象項目名】００１４
【補正方法】変更
【補正の内容】
【００１４】
また、本願記載の発明において、商品情報収集装置の使用者は、纏め部材に対応する表示態様の産地情報を産地価格リストから選択することによって、産地情報に対応した価格情報を容易に指定することができる。そのため、商品情報収集装置の使用者の価格指定負担を軽減することができる。
【手続補正９】
【補正対象書類名】明細書
【補正対象項目名】００１６
【補正方法】変更
【補正の内容】
【００１６】
特に、請求項４に記載の発明によれば、商品リストにオーバラップさせて産地価格リストを表示させることができる。そのため、表示部の解像度を増大させることなく、産地毎の価格情報を表示部に表示させることができる。
【手続補正１０】
【補正対象書類名】明細書
【補正対象項目名】００１７
【補正方法】変更
【補正の内容】
【００１７】
特に、請求項５に記載の発明によれば、産地情報別に商品の販売状況を集計することができる。そのため、同種商品全体の売上状況だけでなく、産地情報別の売上状況をも分析することが可能となる。